(57)【要約】【課題】  通常の大きさの郵便受け箱にあって、内容積を十分に確保しながら夜間または暗所において内部からの照明により文字・記号またはマーク等を光らせ明示することができる郵便受け箱を提供する。【解決手段】  郵便物受け入れ部２とは板状構造体の隔壁４によって隔てられた光源電源部３に、アクリル板８、ＵＶカットシート９、色フィルター１０、防水ケース１１等を具えた薄型のシート状発光体１２を置き、その外側面に文字等６をくり抜いた板状構造７を配し夜間や暗所で透過光により明るく浮き立たせるように作製される。【選択図】図１
0003109714.tif 000002
【実用新案登録請求の範囲】
【請求項１】
構造中にシート状発光体を用いることにより、通常の大きさの郵便受け箱で尚かつ郵便物受け入れ部分の内容積を十分確保したまま、くり抜いた文字・記号またはマーク等の背面から透過して光らせ、夜間および暗所での視認性を向上させた郵便受け箱
【請求項２】
低消費電力でほとんど発熱せず、表面が均一に発光するシート状発光体を用いることにより、通常の大きさの郵便受け箱で尚かつ郵便物受け入れ部分の内容積を必要以上に犠牲にすることなく箱の内部から光を発し、何らかのデザインされた文字・記号またはマーク等を光らせるよう作られた郵便受け箱
【請求項３】
シート状発光体はいわゆるＥＬシートと呼ばれる厚さ０．２〜０．４ミリメートルの面発光素子であり、紫外線・水分に弱いために、ＵＶカットシートや防水ケース、アクリル板等を用いて十分に保護された状態で作製されている請求項１または請求項２の郵便受け箱
【請求項４】
シート状発光体前面にフィルターをつけることにより光の色調や態様は変化するため、これを交換可能な構造体にすることで光る色や模様を自由に変更し表現することができるように作製されている請求項１または請求項２の郵便受け箱
【考案の詳細な説明】
【技術分野】
【０００１】  本考案は、名前の文字・記号またはマーク等が夜間または暗所で光る照明表示付き郵便受け箱に関する。
【背景技術】
【０００２】  従来、表札付きの郵便受け箱はあったが、郵便受け箱についた表示用表札を内部からの透過照明で光らせようとすると、光源の大きさにより郵便受け箱の内部容積が犠牲になったり、容積確保のための隔壁を省くと直接接する電球等の熱で郵便物に火気を及ぼす危険があるため、郵便受け箱であって尚かつそれに付いた表札部が光る商品は一般的には製造されていない。
【考案の開示】
【考案が解決しようとする課題】
【０００３】  しかしながら、以上の技術によれば、一般的な光源を郵便受け箱という限られた空間内に設置するにはいくつかの機能性を犠牲にする必要がある。それは、電球や蛍光管では小型のものでも相当な空間的占有があり、本来の郵便物を収納する機能が減殺されてしまうこと、電球や蛍光管ではある一定面積を均一に明るくすることは困難であり照明効果に特別な工夫を必要とすること、そして一般的な発光体は通常発光と同時に熱を発生し紙やビニール包装の郵便物に対して熱変性、最悪の場合には火災を誘発する可能性が否定できないこと、が考えられる。従来の光源でそれらの問題をクリアするためには、本来必要な容積よりも特別に大きく空間的に余裕がある郵便受け箱を作らねばならない。【０００４】  そこで、この考案は、低消費電力でほとんど発熱せず、厚さ０．２〜０．４ミリメートルで均一に発光する薄型シート状発光体を用いることにより省スペースでしかも安全に、表示された名前や記号、マーク等が夜間または暗所で光る郵便受け箱を提供することを課題とする。
【課題を解決するための手段】
【０００５】  以上の課題を解決するために、第一考案は、光源として一般名称ＥＬシートと呼ばれるシート状発光体を用いることを特徴とする郵便受け箱である。【０００６】  また、第二考案は、シート状発光体の機能を十分に生かすために防水・防汚に配慮された構造を持ち、また色フィルターを用いて自由に色調を変更可能とすることを特徴とする郵便受け箱である。
【考案の効果】
【０００７】  第一考案によれば、省スペース、低消費電力でほとんど発熱がない薄型発光体を用いることにより、郵便受け箱兼用の表札または簡易看板として夜間または暗所で光るため、在所および表示内容を明らかにするものとして有効な表示になり得る。【０００８】  第二考案によれば、発光体の寿命を長く保持でき、また季節の変化等によりその発光表示色を変更して変化を持たせることにより見る人の目を楽しませることができる。
【考案を実施するための最良の形態】
【０００９】  この考案の一実施形態を、図１に示す。
郵便受け箱１の外側面に、明示しようとする文字・記号またはマーク等６をくり抜いた板状（木、樹脂、アクリル、金属等）の構造７を配置しその背後にシート状発光体１２を置く。このシート状発光体１２の保護と機能性向上のために、無色透明アクリル板８、ＵＶカットシート９、色フィルター１０、防水ケース１１を配置する。シート状発光体１２はコネクタ１３を介してインバーター１４、ＡＣアダプタ１５、電気コード１６を接続してある。郵便受け箱１本体は郵便物受け入れ部２と光源電源部３に隔壁４によって区切られている。光源電源部３上部には、雨水を防ぐための覆い５が取り付けてある。【００１０】「実施形態の効果」
この実施形態によれば、薄型の発光体１２は低消費電力でほとんど発熱がないため、これとこれを保護または装飾する目的の無色透明アクリル板８、ＵＶカットシート９、色フィルター１０、防水ケース１１を発熱による弊害の心配なくほぼ接して配することができ、通常の郵便受け箱１の大きさでありながら、郵便物受け入れ部２として郵便物を収納する充分な空間を確保しつつ非常にコンパクトに光源電源部３に光源一式を収めることが可能となる。【００１１】  発光体１２には点灯させるためのコネクタ１３、インバーター１４、ＡＣアダプタ１５、電気コード１６が繋がっており、現在は通常市販のインバーター１４およびＡＣアダプタ１５の一般的な大きさのものしかないために光源電源部３下方にそのための空間が必要である。しかしこれらは本考案のために特別にデザインして作製することが技術的に可能であるため、より省スペースな構成とすることが現実的に可能である。【００１２】  郵便受け箱１本体は郵便物受け入れ部２と光源電源部３に隔壁４によって区切られている。光源電源部３外側には、文字・記号またはマーク等６をくり抜いた板状（木、樹脂、アクリル、金属等）の構造７があり、この内側に配された発光体１２の透過光が文字・記号またはマーク等６を光により浮きだたせる。【００１３】  光源電源部３上側には、雨水を防ぐための覆い５が取り付けてあり、屋外での使用も可能である。【００１４】「他の実施形態」
図１の実施形態では、保護・装飾部材として無色透明アクリル板、ＵＶカットシート、色フィルターを使用しているが、他の実施形態では、光の表現の効果を拡げることで所有者の個性を演出するため、アクリル板を用いないかまたは透明ガラスや型板ガラス、色つきアクリル板、ＵＶカットアクリル板、パンチングアルミ板、その他の材質・形状の部材を用いたものでも良い。
【図面の簡単な説明】
【００１５】
【図１】この考案の一実施形態を示した断面図である。
【図２】この考案の一実施形態を示した斜視図である。
【符号の説明】
【００１６】  １  郵便受け箱
２  郵便物受け入れ部
３  光源電源部
４  隔壁
５  覆い
６  文字・記号またはマーク等
７  板状の構造
８  無色透明アクリル板
９  ＵＶカットシート
１０  色フィルター
１１  防水ケース
１２  シート状発光体
１３  コネクタ
１４  インバーター
１５  ＡＣアダプタ
１６  電気コード
【図１】
0003109714.tif 000003
【図２】
0003109714.tif 000004
【手続補正書】
【提出日】平成17年1月21日(2005.1.21)
【手続補正１】
【補正対象書類名】実用新案登録請求の範囲
【補正対象項目名】全文
【補正方法】変更
【補正の内容】
【実用新案登録請求の範囲】
【請求項１】
内部にシート状発光体を備え、その発光体の前面に文字・記号またはマーク等をくり抜くなどの細工を施した板状の構造物を置くことにより、施した細工の意匠が透過光により表示される構造を有することを特徴とする郵便受け箱
【請求項２】
内部を隔壁によって前室と後室に分け、前室をシート状発光体と文字等をくり抜くなどした板状の構造物を配した表示部とし、後室を郵便物収容部として作製された請求項１の郵便受け箱
【請求項３】
シート状発光体はＥＬ（ｅｌｅｃｔｒｏｌｕｍｉｎｅｓｃｅｎｃｅ）シートと呼ばれる厚さ０．２〜０．４ミリメートルの面発光素子であり、紫外線・水分に弱いために、ＵＶカットシートや防水ケース、アクリル板等を用いて十分に保護された状態で作製されている請求項１または請求項２の郵便受け箱
【請求項４】
シート状発光体前面にフィルターをつけることにより光の色調や態様は変化するため、これを交換可能な構造体にすることで光る色や模様を自由に変更し表現することができるように作製されている請求項１または請求項２の郵便受け箱